【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
（ａ）第１のキャパシタ電極と第１の電池電極の両方である少なくとも１つの部分を有する第１の導体と、
（ｂ）第２のキャパシタ電極である少なくとも１つの部分及び第２の電池電極である少なくとも１つの他の部分を有する第２の導体と、
（ｃ）前記第１の導体と前記第２の導体に接触している電解液とを含む、ハイブリッド電気化学セル。
【請求項２】
前記第１の導体と前記第２の導体との間のセパレータであって、前記第１の導体と前記第２の導体の間の物理的接触を防止または低減し、かつ前記第１の導体と前記第２の導体の間のイオン移動を容易にするように構成された前記セパレータを更に含む、請求項１に記載のハイブリッド電気化学セル。
【請求項３】
前記ハイブリッド電気化学セルは、リチウムイオンの材料または化学作用を含む、請求項１または請求項２に記載のハイブリッド電気化学セル。
【請求項４】
前記第１の導体は負極であり、リチウムイオンによってドープされる、請求項３に記載のハイブリッド電気化学セル。
【請求項５】
前記第１の導体が黒鉛負極、硬質炭素負極、シリコン合金負極、または、複合合金負極、もしくは、これらのいずれかの組み合わせを含む、請求項１〜４のいずれか一項に記載のハイブリッド電気化学セル。
【請求項６】
前記第２のキャパシタ電極が層状の金属酸化物正極を含み、前記第２の電池電極が活性炭正極を含む、請求項１〜５のいずれか一項に記載のハイブリッド電気化学セル。
【請求項７】
前記第２の電池電極がニッケル酸リチウム、ニッケルマンガンコバルト酸リチウム、ニッケルコバルトアルミニウム酸リチウム、チタン酸リチウム、鉄リン酸リチウム、または、マンガン酸リチウム、もしくは、これらのいずれかの組み合わせを含む、請求項１〜６のいずれか一項に記載のハイブリッド電気化学セル。
【請求項８】
前記第２のキャパシタ電極及び前記第２の電池電極が画成される、請求項１〜７のいずれか一項に記載のハイブリッド電気化学セル。
【請求項９】
前記第２のキャパシタ電極と前記第２の電池電極が１つのセルにおいて内部で並列に接続される、請求項１〜８のいずれか一項に記載のハイブリッド電気化学セル。
【請求項１０】
前記第２のキャパシタ電極である前記少なくとも１つの部分と前記第２の電池電極である前記少なくとも１つの他の部分との比が約１：１０〜約１０：１の範囲内である、請求項１〜９のいずれか一項に記載のハイブリッド電気化学セル。
【請求項１１】
前記ハイブリッド電気化学セルの出力密度は、前記第２のキャパシタ電極である前記少なくとも１つの部分と前記第２の電池電極である前記少なくとも１つの他の部分の比に比例する、請求項１〜１０のいずれか一項に記載のハイブリッド電気化学セル。
【請求項１２】
前記ハイブリッド電気化学セルのエネルギー密度は、前記第２のキャパシタ電極である前記少なくとも１つの部分と前記第２の電池電極である前記少なくとも１つの他の部分の比に比例する、請求項１〜１１のいずれか一項に記載のハイブリッド電気化学セル。
【請求項１３】
前記第２のキャパシタ電極は、電気二重層キャパシタを含む、請求項１〜１２のいずれか一項に記載のハイブリッド電気化学セル。
【請求項１４】
前記第２のキャパシタ電極が活性炭、または、相互接続された波状炭素系網状体、もしくは、これらの両方を含む、請求項１〜１３のいずれか一項に記載のハイブリッド電気化学セル。
【請求項１５】
前記相互接続された波状炭素系網状体は、波状炭素層を含む複数の拡張かつ相互接続された炭素層を含む、請求項１４に記載のハイブリッド電気化学セル。
【請求項１６】
前記拡張かつ相互接続された炭素層のそれぞれは、原子約１つ分の厚さである少なくとも１つの波状炭素シートを含む、請求項１５に記載のハイブリッド電気化学セル。
【請求項１７】
前記拡張かつ相互接続された炭素層のそれぞれは、複数の波状炭素シートを含む、請求項１５に記載のハイブリッド電気化学セル。
【請求項１８】
前記複数の拡張かつ相互接続された炭素層の厚さが約５μｍ〜１００μｍである、請求項１５〜１７のいずれか一項に記載のハイブリッド電気化学セル。
【請求項１９】
前記第２のキャパシタ電極は酸化還元活性を有し、層間の擬似容量を介して電荷を貯蔵する、請求項１〜１８のいずれか一項に記載のハイブリッド電気化学セル。
【請求項２０】
前記第２のキャパシタ電極が五酸化ニオブを含む、請求項１〜１９のいずれか一項に記載のハイブリッド電気化学セル。
【請求項２１】
マイクロハイブリッド電気化学セルとして埋込型医療デバイス、スマートカード、無線自動識別タグ、無線センサ、ウェアラブル電子デバイス、エネルギーハーベスタ、または、太陽電池と一体化された、請求項１〜２０のいずれか一項に記載のハイブリッド電気化学セル。
【請求項２２】
前記第２のキャパシタ電極及び前記第２の電池電極は、長さＬ、幅Ｗ及び間隔Ｉの電極指を含む、請求項１〜２１のいずれか一項に記載のハイブリッド電気化学セル。
【請求項２３】
前記長さＬが約４０００μｍ〜約５０００μｍであり、前記幅Ｗが約３００μｍ〜約１８００μｍであり、前記間隔Ｉが約１００μｍ〜約２００μｍである、請求項２２に記載のハイブリッド電気化学セル。
【請求項２４】
前記長さＬが約０．５ｃｍ〜約１．５ｃｍであり、前記幅Ｗが約０．０５ｃｍ〜約０．２ｃｍであり、前記間隔Ｉが約０．０１ｃｍ〜約０．０５ｃｍである、請求項２２に記載のハイブリッド電気化学セル。
【請求項２５】
前記ハイブリッド電気化学セルにおいて前記電極指の前記幅Ｗ及び前記電極指間の前記間隔Ｉを減ずることにより、イオンの拡散経路を縮小させる、請求項２２〜２４のいずれか一項に記載のハイブリッド電気化学セル。
【請求項２６】
前記ハイブリッド電気化学セルは、ニッケルカドミウム（Ｎｉ−Ｃｄ）及び／またはニッケル水素（Ｎｉ−ＭＨ）の化学作用を含む、請求項１〜２５のいずれか一項に記載のハイブリッド電気化学セル。
【請求項２７】
前記第１の導体は正であり、放電中に水酸化ニッケル（Ｎｉ（ＯＨ）２）に還元されるオキシ水酸化ニッケル（ＮｉＯＯＨ）を含む、請求項２６に記載のハイブリッド電気化学セル。
【請求項２８】
前記第２のキャパシタ電極及び前記第２の電池電極が正極である、請求項１〜２７のいずれか一項に記載のハイブリッド電気化学セル。
【請求項２９】
前記第２のキャパシタ電極及び前記第２の電池電極が画成される、請求項１〜２８のいずれか一項に記載のハイブリッド電気化学セル。
【請求項３０】
前記ハイブリッド電気化学セルのエネルギー密度が約２０ワット時／キログラム（Ｗｈ／ｋｇ）〜約２００Ｗｈ／ｋｇである、請求項１〜２９のいずれか一項に記載のハイブリッド電気化学セル。
【請求項３１】
前記ハイブリッド電気化学セルの出力密度が約１０３ワット／キログラム（Ｗ／ｋｇ）〜約１０４Ｗ／ｋｇである、請求項１〜３０のいずれか一項に記載のハイブリッド電気化学セル。
【請求項３２】
第１のキャパシタ電極と第１の電池電極の両方である少なくとも１つの単一部分を含む第１の導体を作製することと、
第２のキャパシタ電極である少なくとも１つの部分及び第２の電池電極である少なくとも１つの他の部分を含む第２の導体を作製することと、
前記第１の導体及び前記第２の導体に電解液を添加することとを含む、ハイブリッド電気化学セルの製造方法。
【請求項３３】
前記第２の導体を作製することは、
炭素系酸化膜を含む基材を受容することと、
前記炭素系酸化膜の少なくとも部分を、複数の拡張かつ相互接続された炭素層に還元することにより、相互接続された波状炭素系網状体（ＩＣＣＮ）を形成する光ビームを生成することとを含む、請求項３２に記載のハイブリッド電気化学セルの製造方法。
【請求項３４】
リチウムイオン材料を含むマイクロハイブリッド電気化学セルの製造方法であって、相互接続された波状炭素系網状体（ＩＣＣＮ）が互いに嵌合されたパターンの上に多孔性の正極材料及び負極材料を成長させることを含み、光学ディスクバーナードライブを用いて前記ＩＣＣＮが互いに嵌合されたパターンが作製され、
（ａ）酸化黒鉛（ＧＯ）の水中分散物を光学ディスクの上にドロップキャストすることと、
（ｂ）前記光学ディスク上の前記ＧＯの分散物を空気中で乾燥させて、黒鉛膜を形成することと、
（ｃ）前記黒鉛膜上に向けてマイクロパターン内でレーザーを移動させて前記黒鉛膜をＩＣＣＮに変換することと、
（ｄ）電圧制御型及び電流制御型の電着により、陽極材料及び陰極材料を前記ＩＣＣＮ上に順次電着させることと、
（ｅ）ニッケル−スズ合金、シリコンおよび黒鉛微小粒子のうち少なくとも一つを、前記ＩＣＣＮ上に電着させることと、
（ｆ）前記ＩＣＣＮ上に少量の電解液を添加することと、を含む、製造方法。
【請求項３５】
ニッケルカドミウム（Ｎｉ−Ｃｄ）及び／またはニッケル水素（Ｎｉ−ＭＨ）の化学作用を伴うマイクロハイブリッド電気化学セルの製造方法であって、相互接続された波状炭素系網状体（ＩＣＣＮ）が互いに嵌合されたパターンの上に多孔性の正極材料及び負極材料を成長させることを含み、光学ディスクバーナードライブを用いて前記ＩＣＣＮが互いに嵌合されたパターンが作製され、
（ａ）酸化黒鉛（ＧＯ）の水中分散物を光学ディスクの上にドロップキャストすることと、
（ｂ）前記光学ディスク上の前記ＧＯの分散物を空気中で乾燥させて、黒鉛膜を形成することと、
（ｃ）前記黒鉛膜上に対してマイクロパターン内でレーザーを移動させて前記黒鉛膜をＩＣＣＮに変換することと、
（ｄ）ランタンニッケル（ＬａＮｉ５）またはパラジウム（Ｐｄ）を含む金属の前記ＩＣＣＮ上への電圧制御型及び電流制御型の電着を行うことと、
（ｅ）前記ＩＣＣＮに水酸化カドミウム（Ｃｄ（ＯＨ）２）を添加することと、
（ｆ）前記ＩＣＣＮ上に少量の電解液を添加することと、を含む、製造方法。